(57)【特許請求の範囲】
【請求項１】
アンテナを有する無線モジュールの試験を行なう無線モジュール試験装置において、
無線モジュールを所定の位置に設置することのできる試験基板と、
前記試験基板に設けられた試験用アンテナと、
を有し、
前記試験用アンテナには試験機が接続されており、
前記無線モジュールのアンテナより発せられた電波を前記試験用アンテナにより受信し、前記無線モジュールの試験を行なうものであって、
前記試験用アンテナの偏波面と前記無線モジュールのアンテナの偏波面とは略平行であり、前記試験用アンテナの偏波方向と前記無線モジュールのアンテナの偏波方向とは略直交するものであることを特徴とする無線モジュール試験装置。
【請求項２】
前記試験用アンテナと前記無線モジュールとの間の距離Ｌは、使用する波長をλとした場合、Ｌ＜λ／（２π）であることを特徴とする請求項１に記載の無線モジュール試験装置。
【請求項３】
前記試験基板は、第１の試験基板と第２の試験基板とを有しており、
前記第１の試験基板には、前記試験用アンテナが設けられており、前記第２の試験基板には、前記無線モジュールが設置されるものであることを特徴とする請求項１または２に記載の無線モジュール試験装置。
【請求項４】
前記試験基板に設置される前記無線モジュールは、前記試験基板と電気的に接続されているものであって、
前記接続は、前記試験基板に設けられたバンプと前記無線モジュールに設けられた接続端子とを異方性導電フィルムを介し加圧することにより行なわれるものであること、
または、前記試験基板に設けられたコネクタと前記無線モジュールに設けられたコネクタとを接続することにより行なわれるものであること、
を特徴とする請求項１から３のいずれかに記載の無線モジュール試験装置。
【発明の詳細な説明】
【技術分野】
【０００１】
本発明は、無線モジュール試験装置に関する。
【背景技術】
【０００２】
無線通信を行なうための装置として無線モジュールがある。無線モジュールは、通常、アンテナを接続して使用するものであるが、アンテナの付いていない無線モジュールの場合、ユーザがアンテナを準備し調整等を行なう必要があるため設置する際に煩わしさが伴う。
【０００３】
このため、予め無線モジュールにアンテナが接続されているアンテナ付きの無線モジュールであれば、ユーザはアンテナ付き無線モジュールを所定の装置等に搭載するだけで使用することができるため、設置等を容易に行なうことができる。
【０００４】
このような無線通信用のアンテナとなる無線モジュールの試験方法としては、無線モジュールに信号を入力し、無線モジュールから出力される電波を無線モジュール試験装置のアンテナで電波を受信し試験を行なう方法が開示されている。
【先行技術文献】
【特許文献】
【０００５】
【特許文献１】特開２００５−２９４８８２号公報
【発明の概要】
【発明が解決しようとする課題】
【０００６】
ところで、このような無線モジュール試験装置においては、受信するアンテナの位置が僅かに変わると、試験対象となる無線モジュールの特性が変化し、試験結果にばらつきが生じてしまう。このため、同一の条件における試験が困難となり、正確な試験を行なうことができない。
【０００７】
本発明は、上記に鑑みてなされたものであり、アンテナが搭載された無線モジュールにおいて、同一条件における試験を容易に行なうことができ、また、正確な試験を行なうことのできる無線モジュール試験装置を提供することを目的とするものである。
【課題を解決するための手段】
【０００８】
本発明は、アンテナを有する無線モジュールの試験を行なう無線モジュール試験装置において、無線モジュールを所定の位置に設置することのできる試験基板と、前記試験基板に設けられた試験用アンテナと、を有し、前記試験用アンテナには試験機が接続されており、前記無線モジュールのアンテナより発せられた電波を前記試験用アンテナにより受信し、前記無線モジュールの試験を行なうものであって、前記試験用アンテナの偏波面と前記無線モジュールのアンテナの偏波面とは略直交するものであり、前記試験用アンテナの偏波方向と前記無線モジュールのアンテナの偏波方向とは略直交するものであることを特徴とする。
【０００９】
また、本発明は、前記試験用アンテナの偏波方向と前記無線モジュールの偏波方向とは略直交するものであることを特徴とする。
【００１０】
また、本発明は、前記試験基板はプリント基板により形成されており、前記試験用アンテナは、前記プリント基板上に形成された導体パターンにより形成されていることを特徴とする。
【００１１】
また、本発明は、前記試験用アンテナと前記無線モジュールとの間の距離Ｌは、使用する波長をλとした場合、Ｌ＜λ／（２π）であることを特徴とする。
【００１２】
また、本発明は、前記試験基板は、第１の試験基板と第２の試験基板とを有しており、前記第１の試験基板には、前記試験用アンテナが設けられており、前記第２の試験基板には、前記無線モジュールが設置されるものであることを特徴とする。
【００１３】
また、本発明は、前記試験基板には、回路部が搭載されていることを特徴とする。
【００１４】
また、本発明は、前記試験用アンテナは、ダイポールアンテナ、Ｔ字アンテナ、逆Ｌ字アンテナ、逆Ｆ字アンテナのいずれかであることを特徴とする。
【００１５】
また、本発明は、前記試験用アンテナには、共振周波数を調整するためのインダクタが接続されていることを特徴とする。
【００１６】
また、本発明は、前記試験用アンテナと前記試験機との間にはバランが接続されていることを特徴とする。
【００１７】
また、本発明は、前記試験基板に設置される前記無線モジュールは、前記試験基板と電気的に接続されているものであって、前記接続は、前記試験基板に設けられたバンプと前記無線モジュールに設けられた接続端子とを異方性導電フィルムを介し加圧することにより行なわれるものであること、または、前記試験基板に設けられたコネクタと前記無線モジュールに設けられたコネクタとを接続することにより行なわれるものであること、を特徴とする。
【００１８】
また、本発明は、前記無線モジュールは、２．４ＧＨｚから２．５ＧＨｚの周波数帯域に用いられるものであることを特徴とする。
【００１９】
また、本発明は、前記無線モジュールは、無線ＬＡＮ、ＢＴ用の通信に用いられるものであることを特徴とする。
【発明の効果】
【００２０】
本発明によれば、アンテナが搭載された無線モジュールにおいて、同一条件における試験を容易に行なうことができ、また、正確な試験を行なうことのできる無線モジュール試験装置を提供することができる。
【図面の簡単な説明】
【００２１】
【図１】第１の実施の形態における無線モジュール試験装置の斜視図
【図２】第１の実施の形態における無線モジュール試験装置の構造図
【図３】試験用アンテナの偏波方向とアンテナの偏波方向が直交する無線モジュール試験装置の説明図
【図４】試験用アンテナの偏波方向とアンテナの偏波方向が平行である無線モジュール試験装置の説明図
【図５】周波数と伝搬ロスＳ２１との相関図
【図６】無線モジュール試験装置への無線モジュールの接続を説明する斜視図（１）
【図７】無線モジュール試験装置への無線モジュールの接続を説明する側面図（１）
【図８】無線モジュール試験装置への無線モジュールの接続を説明する斜視図（２）
【図９】無線モジュール試験装置への無線モジュールの接続を説明する側面図（２）
【図１０】第１の実施の形態における他の無線モジュール試験装置の説明図（１）
【図１１】第１の実施の形態における他の無線モジュール試験装置の説明図（２）
【図１２】第１の実施の形態における他の無線モジュール試験装置の説明図（３）
【図１３】第２の実施の形態における無線モジュール試験装置の説明図
【図１４】第２の実施の形態における他の無線モジュール試験装置の説明図（１）
【図１５】第２の実施の形態における他の無線モジュール試験装置の説明図（２）
【発明を実施するための形態】
【００２２】
本発明を実施するための形態について、以下に説明する。尚、同じ部材等については、同一の符号を付して説明を省略する。
【００２３】
〔第１の実施の形態〕
（無線モジュール試験装置の構造）
第１の実施の携帯における無線モジュール試験装置について、図１に基づき説明する。本実施の形態における無線モジュール試験装置は、試験の対象となる無線モジュール１０を搭載することが可能なプリント基板等の試験基板２０と、試験基板２０に形成された試験用アンテナ２１とを有しており、試験基板２０の所定の位置に無線モジュール１０を設置して無線モジュールの試験を行なうものである。試験基板２０としてプリント基板を用いる場合には、試験用アンテナ２１は、プリント基板上の導体パターン、具体的には、銅によるパターンにより形成されている。尚、無線モジュール１０は、アンテナ１１と回路部１２を有している。
【００２４】
試験用アンテナ２１は、無線モジュール１０からの電波を受信等するためのものであり、試験基板２０の端部に設けられた試験コネクタ３０と接続されている。また、試験コネクタ３０は、更に、試験機４０と接続されている。
【００２５】
図２に示すように、試験回路部５０等に設けられた不図示の信号発生部より、無線モジュール１０の試験を行なうための信号を発生させ、発生した信号を無線モジュール１０に入力する。これにより、無線モジュール１０のアンテナ１１からは、入力した信号に応じた電波が発生し、発生した電波は試験用アンテナ２１により受信される。試験用アンテナ２１より受信した電波は、試験コネクタ３０を介し、試験機４０に入力され、試験機４０において、無線モジュール１０の特性の試験を行なう。
【００２６】
本実施の形態では、試験用アンテナ２１は、ダイポールアンテナが用いられており、試験用アンテナ２１と無線モジュール１０との距離Ｌは、約５ｍｍとなるように形成されている。図２に示すように、試験用アンテナ２１と無線モジュール１０との距離Ｌは、λ／（２π）以下であることが好ましく、周波数が２．４５ＧＨｚの場合において、約５ｍｍは、０．０４λとなる。
【００２７】
尚、図２に示すように、試験基板２０には、モジュールコントローラや電源等を有する試験回路部５０に接続されているが、試験回路部５０の一部を試験基板２０に搭載してもよく、また、試験機４０が試験回路部５０の一部または全部を含むものであってもよい。
【００２８】
（試験用アンテナ２１の位置）
図３に示されるように、本実施の形態における無線モジュール試験装置では、試験用アンテナ２１の偏波方向Ａと、試験の対象となる無線モジュール１０のアンテナ１１の偏波方向Ｂとが略直交するように配置されている。このように、試験用アンテナ２１の偏波方向Ａと無線モジュール１０のアンテナ１１の偏波方向Ｂとが略直交するように配置することにより、アンテナ１１と試験用アンテナ２１との間におけるロスを低くすることができる。
【００２９】
具体的には、図３に示すように、試験用アンテナ２１の偏波方向Ａと無線モジュール１０のアンテナ１１の偏波方向Ｂとが略直交する場合（無線モジュール試験装置α）と、図４に示すように、試験用アンテナ２２１の偏波方向Ｃと無線モジュール１０のアンテナ１１の偏波方向Ｂとが略平行となる場合（無線モジュール試験装置β）とにおける周波数と伝搬ロスＳ２１との関係を図５に示す。尚、図３における試験用アンテナ２１は、ダイポールアンテナであり、アンテナ１１の偏波方向と試験用アンテナ２１の偏波方向とが略直交するように設置されており、図４における試験用アンテナ２２１は、逆Ｆアンテナであり、アンテナ１１の偏波方向と試験用アンテナ２２１の偏波方向とが略平行となるように設置されている。図５に示されるように、無線モジュール試験装置βに比べ、無線モジュール試験装置αは、伝搬ロスＳ２１が少なく、無線モジュール試験装置αは、無線モジュール試験装置βよりも約１３ｄＢ程度高い。
【００３０】
このように、無線モジュール１０のアンテナ１１の偏波方向と試験用アンテナ２１の偏波方向とが、略直交するように設置することにより伝搬ロスを低くすることができる。
【００３１】
（無線モジュールの設置方法）
次に、本実施の形態における無線モジュール試験装置に、無線モジュール１０を設置し接続する方法について説明する。
【００３２】
図６及び図７に示される本実施の形態における無線モジュール試験装置は、試験基板２０の表面に金属メッキ等により突起状に形成されたバンプ２２を有しており、異方性導電シート２３を介し、無線モジュール１０に設けられた不図示の電極端子とバンプ２２とを接続する。具体的には、無線モジュール１０に設けられた不図示の電極端子とバンプ２２との位置合せを行なった後、無線モジュール１０に設けられた不図示の電極端子とバンプ２２との間に異方性導電シート２３を挟み込み、無線モジュール１０より加圧する。これにより、異方性導電シート２３を介し、無線モジュール１０に設けられた不図示の電極端子とバンプ２２とを電気的に接続する。このようにして、本実施の形態における無線モジュール試験装置に、試験の対象となる無線モジュール１０を設置し接続することができる。尚、図７に示されるように本実施の形態における無線モジュール試験装置の試験基板２０は、コネクタ６１を介し不図示の信号発生機等と接続されている制御基板６０と接続されており、制御基板６０を介し制御等がされる。尚、制御基板６０は、試験回路部５０を有するものであってもよい。
【００３３】
本実施の形態における無線モジュール試験装置では、無線モジュール１０は試験基板２０の所定の位置に設置されるため、即ち、バンプ２２により位置合せがなされて設置されるため、無線モジュール１０が設置される位置は、複数の無線モジュール１０を取り替える場合であっても、同じ位置に設置することが可能である。このため、無線モジュールの試験においてバラツキが生じることはなく、均一な条件で正確な試験を行なうことができる。
【００３４】
また、図８及び図９に示される本実施の形態における無線モジュール試験装置では、試験基板２０の表面にコネクタ２４を設け、無線モジュール１０にもコネクタ２５を設けたものである。無線モジュール試験装置に無線モジュールを設置する際には、コネクタ２４とコネクタ２５を接続することにより、無線モジュール試験装置に無線モジュール１０を設置し接続することができる。この場合も同様に、コネクタ２４及び２５により、無線モジュール１０を所定の位置に設置することができるため、複数の無線モジュール１０を取り替えて設置する場合であっても、同じ位置に設置することができる。このため、無線モジュールの試験においてバラツキが生じることはなく、均一な条件で正確な試験を行なうことができる。
【００３５】
（無線モジュール試験装置の他の構成）
上記において説明した無線モジュール試験装置では、試験用アンテナ２１と試験機４０との関係は、図１０に示されるものであるが、図１１に示されるように、試験用アンテナ２１と試験機４０との間にバラン７０を設けてもよい。バラン７０は、平衡と不平衡の状態にある電気信号を変換するための素子であり、平衡−不平衡変換器という。また、本実施の形態における無線モジュール試験装置においては、試験用アンテナ２１に、不図示のインダクタを接続し、周波数の調整を行ってもよい。
【００３６】
また、本実施の形態における無線モジュール試験装置は、図１２に示されるように、試験基板２０を第１の試験基板２０ａと第２の試験基板２０ｂとに２つに分けてもよい。第１の試験基板２０ａには、試験用アンテナ２１及び、試験コネクタ３０が設けられており、第２の試験基板２０ｂには、無線モジュール１０が設置されている。
【００３７】
無線モジュール１０を接続したり、取り外したりする動作を繰り返すことにより、無線モジュール１０と接続される基板側の端子部分は傷み、接触不良等が生じやすくなる。このため、図１２に示す場合では、無線モジュール１０の搭載される第２の試験基板２０ｂを第１の試験基板２０ａと分離することにより、第２の試験基板２０ｂにおいて端子部分が傷んだ場合には、第２の試験基板２０ｂのみを交換することができる。これにより、端子部分が傷んだ場合であっても、無線モジュール試験装置全体を交換することなく、第２の試験基板２０ｂのみを交換すればよいため、無線モジュールの試験コストを低くすることができる。
【００３８】
本実施の形態では、第１の試験基板２０ａ及び第２の試験基板２０ｂは、各々不図示のコネクタにより制御基板６２と接続されており、第２の試験基板２０ｂの交換は、制御基板６２に設けられた不図示のコネクタ等から第２の試験基板２０ｂを取り外した後、新しい第２の試験基板２０ｂを制御基板６２に設けられた不図示のコネクタ等に接続することにより行なうことができる。この際、第２の試験基板２０ｂは不図示のコネクタ等に接続するものであるため、所定の位置に容易に設置することができる。尚、制御基板６２には、制御基板６０と同様の回路、例えば、試験回路部５０等が配置されている。
【００３９】
〔第２の実施の形態〕
次に、第２の実施の形態について説明する。本実施の形態は、試験用アンテナの形状が第１の実施の形態とは異なる無線モジュール試験装置である。
【００４０】
図１３に基づき、本実施の形態における無線モジュール試験装置について説明する。本実施の形態における無線モジュール試験装置は、試験用アンテナ１２１にＴ字アンテナを用いたものである。この際、無線モジュール１０のアンテナ１１の偏波方向Ｅと、試験用アンテナ１２１の偏波方向Ｄとが略直交するように、無線モジュール試験装置の試験基板２０に無線モジュール１０が設置されている。この場合においても、アンテナ１１の偏波方向Ｅと試験用アンテナ１２１の偏波方向Ｄとは直交しているため、第１の実施の携帯と同様に、伝搬ロスを少なくすることができる。
【００４１】
また、図１４に示すように、逆Ｌ字アンテナの試験用アンテナ１２１ａを用いてもよく、この場合も、試験用アンテナ１２１ａの偏波方向Ｄと無線モジュール１０の偏波方向Ｅとが略垂直となるように、無線モジュール１０が設置される。
【００４２】
更に、図１５に示すように、逆Ｆ字アンテナの試験アンテナ１２１ｂを用いてもよい。この場合も、試験用アンテナ１２１ｂの偏波方向Ｄと無線モジュール１０の偏波方向Ｅとが略垂直となるように、無線モジュール１０が設置される。
【００４３】
また、本実施の形態における無線モジュール試験装置では、試験用アンテナ１２１、１２１ａ、１２１ｂに、不図示のインダクタを接続し、周波数の調整を行ってもよい。
【００４４】
尚、上記以外の内容については、第１の実施の形態と同様である。
【００４５】
以上、本発明の実施に係る形態について説明したが、上記内容は、発明の内容を限定するものではない。
【符号の説明】
【００４６】
１０        無線モジュール
１１        アンテナ
１２        回路部
２０        試験基板
２１        試験用アンテナ
２２        バンプ
２３        異方性導電シート
３０        試験コネクタ
４０        試験機
５０        試験回路部
６０        制御基板
６１        コネクタ
Ａ          試験用アンテナの偏波方向
Ｂ          無線モジュールのアンテナの偏波方向
【図１】
0005909339.tif 000002
【図２】
0005909339.tif 000003
【図３】
0005909339.tif 000004
【図４】
0005909339.tif 000005
【図５】
0005909339.tif 000006
【図６】
0005909339.tif 000007
【図７】
0005909339.tif 000008
【図８】
0005909339.tif 000009
【図９】
0005909339.tif 000010
【図１０】
0005909339.tif 000011
【図１１】
0005909339.tif 000012
【図１２】
0005909339.tif 000013
【図１３】
0005909339.tif 000014
【図１４】
0005909339.tif 000015
【図１５】
0005909339.tif 000016